(57)【要約】  【課題】写真処理システムにおいて、複数のビューアソフトの中から選択したものを組み込んで電子アルバムとして出力すること。  【解決手段】本発明の写真処理システムは、複数種類のビューアソフトを内蔵し、与えられた写真画像を組み込んだ形態で出力媒体に出力し得る写真処理システムにおいて、複数のビューアソフトを示す１の表示の中から何れかを選択することによって、選択された表示に対応するビューアソフトの簡易表示をモデル画像を使って再現する第１の手段と、前記ビューアソフトの簡易表示の再現中、あるいは再現後にビューアソフトを示す２の表示を選択することによって出力媒体にビューアソフトと共に前記与えられた写真画像を出力する第２の手段とを含んでいる。【選択図】      図２
2006085214.tif 000002
【特許請求の範囲】
【請求項１】
複数種類のビューアソフトを内蔵し、与えられた写真画像を組み込んだ形態で出力媒体に出力し得る写真処理システムにおいて、
複数のビューアソフトを示す１の表示の中から何れかを選択することによって、選択された表示に対応するビューアソフトの簡易表示をモデル画像を使って再現する第１の手段と、
前記ビューアソフトの簡易表示の再現中、あるいは再現後にビューアソフトを示す２の表示を選択することによって出力媒体にビューアソフトと共に前記与えられた写真画像を出力する第２の手段と
を含んでいることを特徴とする写真処理システム。
【請求項２】
前記１の表示と前記２の表示は同一のものであり、前記２の表示が選択されるまでは、表示画面の中に前記１と前記２の同一表示と前記ビューアソフトの簡易表示が同時に表示されていることを特徴とする請求項１に記載の写真処理システム。
【発明の詳細な説明】
【技術分野】
【０００１】
本発明は、複数の写真画像を、これらの写真画像を閲覧するためのビューアソフトとを組み込んで出力媒体に出力する機能を備えた写真処理システムに関するものである。
【背景技術】
【０００２】
近年においては、複数の写真画像を、これらの写真画像を閲覧するためのビューアソフトとを組み込んで電子アルバムとしてＣＤ−Ｒやネットワーク上のサーバ等の記憶手段等の出力媒体に出力する機能を備えた写真処理システムが使用されている。
このようなビューアソフトとしては、写真画像を、それぞれ地図上の位置と関連付けて出力し得るもの（特許文献１）や、音楽情報と関連つけて出力し得るもの（特許文献２）が提案されている。
【０００３】
【特許文献１】特開２００２−８２９５７
【特許文献２】特開２００３−１１６０９４
【０００４】
特許文献１には、複数の写真画像を、地図上の位置と関連付けるインデックス情報を付加して、例えばネットワーク上のサーバに保存する技術が開示されており、対応したビューアソフトを用いることによって、表示された地図の所望の位置をマウス等でクリックすると、その場所に関連付けるインデックス情報が付与された写真画像を閲覧することができる。
特許文献２には、ネットワーク上で提供される複数の音楽情報の何れかを選択し、写真画像とを組み合わせて電子アルバムを作成するシステムが開示されている。
【発明の開示】
【発明が解決しようとする課題】
【０００５】
以上において示した特許文献１に記載されている技術を用いた写真処理システムでは、写真画像は地図と関連付けして閲覧し得るが、音楽情報と関連付けして閲覧はできない。
一方、特許文献２に記載されている技術を用いた写真処理システムでは、写真画像は音楽情報とは関連付けして閲覧できるが、地図上の位置とは関連付けされない。
このように、従来の技術を用いた写真処理システムでは、複数の写真画像を閲覧する電子アルバムは、特定のビューアソフトしか組み込むようには設定されていなかったので、異なるビューアソフトと組み込む場合には、写真処理システムの構成を変更する必要があり、顧客の要望に応じて異なるビューアソフトを組み込むことはできなかった。
【０００６】
そこで、本発明は、顧客が選択し得るように、複数のビューアソフトの中から任意の１つを選択し得るように組み込んだ電子アルバムを出力する写真処理システムを実現することを目的としてなされたものである。
【課題を解決するための手段】
【０００７】
本発明にかかる請求項１の写真処理システムは、
複数種類のビューアソフトを内蔵し、与えられた写真画像を組み込んだ形態で出力媒体に出力し得る写真処理システムにおいて、
複数のビューアソフトを示す１の表示の中から何れかを選択することによって、選択された表示に対応するビューアソフトの簡易表示をモデル画像を使って再現する第１の手段と、
前記ビューアソフトの簡易表示の再現中、あるいは再現後にビューアソフトを示す２の表示を選択することによって出力媒体にビューアソフトと共に前記与えられた写真画像を出力する第２の手段と
を含んでいることを特徴とするものである。
請求項２では、前記１の表示と前記２の表示は同一のものであり、前記２の表示が選択されるまでは、表示画面の中に前記１と前記２の同一表示と前記ビューアソフトの簡易表示が同時に表示されていることを特徴としている。
【発明の効果】
【０００８】
本発明によれば、複数種類のビューアソフトを内蔵し、与えられた写真画像を組み込んだ形態で出力媒体に出力し得る写真処理システムにおいて、モデル画像を複数のビューアソフトを使って簡易表示するので、ビューアソフトを選択するときに、選択間違いを防止できる。
また、与えられた写真画像を、前記選択したビューアソフトに組み込んだ形態で出力媒体に出力するので、当該出力媒体を用いると、前記選択されたビューアソフトで閲覧することができる。
【発明を実施するための最良の形態】
【０００９】
以下、本発明の実施の形態を図面に基づいて説明する。
図１に、本発明の写真処理システムのブロック図を示した。
図１において、
１は写真処理システムであり、入力手段２としては、ネットワークを介して、電子アルバムを構成する写真画像情報を取り込むための通信部２１と、種々の記録メディアを介して、電子アルバムを構成する写真画像情報を取り込むための読取部２２とを備えている。
また、出力手段３としては、取り込んだ写真画像情報とビューアソフトとを組み込んで前記通信部を介して特定の顧客に送出する機能と、前記読取部を用いて所定の出力媒体に出力して書き込む機能とを備えている。
そして、制御部４は、ＣＰＵ４１と、ハードディスク４２とを備え、前記ハードディスクには本発明の写真処理システムの要部を構成する電子アルバム作成プログラム等が書き込まれているシステム領域と、複数のビューアソフトを組み込むための情報等が書き込まれているデータ領域と、取り込んだ写真画像情報を一時的に保存する保存領域と、その他の記憶領域が設定されている。
さらに、ディスプレイ装置５や、キーボード６等を備えていることは当然である。
【００１０】
以下に、前記電子アルバム作成プログラムの構成を、図２を参照して説明する。
図２において、ステップＳ１においては、複数のビューアソフトのアイコンを表示する。ステップＳ２において、オペレータもしくは顧客の操作者が、表示された何れかのアイコンをクリックして選択する。
ステップＳ３においては、選択されたビューアソフトを用いて、モデル画像を簡易的に閲覧表示する。このとき前記複数のビューアソフトのアイコンは表示されている。
ステップＳ４においては、操作者が、簡易表示されたビューアソフトで良いか否かを指示する。良い場合はステップＳ５へ進み、他のビューアソフトを選択したい場合はステップＳ１へ戻る。
【００１１】
ステップＳ５では、電子アルバムに組み込むべき写真画像を選択する。
ステップＳ６では、選択されたビューアソフトと、選択された写真画像とを組み込んで電子アルバム出力データを作成し、ＣＤ−Ｒ等の指定された出力媒体に、前記電子アルバム出力データを出力する。
なお、前記ステップＳ１におけるアイコンの表示が、特許請求の範囲に記載された１の表示に対応し、前記ステップＳ１〜Ｓ３が、特許請求の範囲に記載された第１の手段に対応し、前記ステップＳ４〜Ｓ６が、特許請求の範囲に記載された第２の手段に対応している。
【００１２】
次に、ビューアソフトとして、ページをめくって順次表示する形式のものを選択して、電子アルバムを出力する場合を、図３のフローチャートを参照して説明する。
ステップＳ３１においては、ページをめくって順次表示する形式のビューアソフトのアイコンがクリックされたかチェックする。
ステップＳ３２においては、モデル画像を用いてページをめくって表示するイメージ画像を簡易表示する。このとき前記複数のビューアソフトのアイコンは表示されている。
ステップＳ３３においては、当該アイコンが再度クリックされたかをチェックする。再度クリックされると、このビューアソフトが選択されたことを確定してステップＳ３４へ進む。
【００１３】
ステップＳ３４においては、記録メディアから写真画像情報を取り込む。
ステップＳ３５においては、サムネイル表示された写真画像から電子アルバムに組み込む写真画像を選択する。
ステップＳ３６においては、選択されたページをめくる形式のビューアソフトと、選択された写真画像とを組み込んで電子アルバム出力データを作成し、ＣＤ−Ｒ等の指定された出力媒体に、前記電子アルバム出力データを出力する。
なお、前記ステップＳ３３におけるアイコンの表示が、特許請求の範囲に記載された２の表示に対応し、前記ステップＳ３３〜Ｓ３６が、特許請求の範囲に記載された第２の手段に対応している。
【００１４】
次に、ビューアソフトとして、一覧表示されたサムネイル画像をクリックして順次選択する形式のものを選択する場合を、図４のフローチャートを参照して説明する。
ステップＳ４１においては、サムネイル表示形式のビューアソフトのアイコンがクリックされたかチェックする。
ステップＳ４２においては、モデル画像を用いてサムネイル画像が開かれるイメージ画像を簡易表示する。このとき前記複数のビューアソフトのアイコンは表示されている。
ステップＳ４３においては、当該アイコンが再度クリックされたかをチェックする。再度クリックされると、このビューアソフトが選択されたことを確定してステップＳ４４へ進む。
【００１５】
ステップＳ４４においては、記録メディアから写真画像情報を取り込む。
ステップＳ４５においては、サムネイル表示された写真画像から電子アルバムに組み込む写真画像を選択する。
ステップＳ４６においては、選択されたビューアソフトと、選択された写真画像とを組み込んで電子アルバム出力データを作成し、ＣＤ−Ｒ等の指定された出力媒体に、前記電子アルバム出力データを出力する。
なお、前記ステップＳ４３におけるアイコンの表示が、特許請求の範囲に記載された２の表示に対応し、前記ステップＳ４３〜Ｓ４６が、特許請求の範囲に記載された第２の手段に対応している。
【００１６】
次に、ビューアソフトとして、地図と関連付けして配置する形式のものを選択する場合を、図５のフローチャートを参照して説明する。
ステップＳ５１においては、地図と関連付けして配置する形式のビューアソフトのアイコンがクリックされたかチェックする。
ステップＳ５２においては、地図上の特定の場所をクリックしてモデル画像が開かれるイメージ画像を簡易表示する。このとき前記複数のビューアソフトのアイコンは表示されている。
ステップＳ５３においては、当該アイコンが再度クリックされたかをチェックする。再度クリックされると、このビューアソフトが選択されたことを確定してステップＳ５４へ進む。
【００１７】
ステップＳ５４においては、記録メディアから写真画像情報を取り込む。
ステップＳ５５においては、サムネイル表示された写真画像から電子アルバムに組み込む写真画像を選択する。
ステップＳ５６においては、選択された写真画像に対して、それぞれ、地域情報、市町村情報、観光地情報を入力する。
ステップＳ５７においては、選択されたビューアソフトと、選択された写真画像とを組み込んで電子アルバム出力データを作成し、ＣＤ−Ｒ等の指定された出力媒体に、前記電子アルバム出力データを出力する。
なお、前記ステップＳ５３におけるアイコンの表示が、特許請求の範囲に記載された２の表示に対応し、前記ステップＳ５３〜Ｓ５７が、特許請求の範囲に記載された第２の表示手段に対応している。
【００１８】
このようにして、アイコンを選択するだけで、所望のビューアソフトを選択して組み込んで出力媒体に出力することができる。また、選択されたビューアソフトを簡易表示させて確認できるので、選択間違いを防止できる。
選択対象のビューアソフトは、上記３種類に限定されるものではなく、種々のものを予め選択対象ソフトとして登録しておくことによって、容易に組み込むことができる。
【００１９】
なお、前記読取装置２２には、マルチメディアカード、メモリスティック、スマートメディア、コンパクトフラッシュ（登録商標）、ＣＤ−ＲＯＭ、ＣＤ−Ｒ、ＣＤ−ＲＷ、ＤＶＤ−Ｒ、ＭＯ、ＺＩＰ等の種々の記録メディアや出力媒体の読み込みや書き込みをするためのドライブユニットが配置されており、また、ＵＳＢ接続ポートや赤外線通信装置等も備えている。
【図面の簡単な説明】
【００２０】
【図１】本発明にかかる写真処理システムの構成図である。
【図２】前記写真処理システムの概略フローチャートである。
【図３】前記写真処理システムにおいて、１つのビューアソフトが選択された場合のフローチャートである。
【図４】前記写真処理システムにおいて、他の１つのビューアソフトが選択された場合のフローチャートである。
【図５】前記写真処理システムにおいて、さらの他の１つのビューアソフトが選択された場合のフローチャートである。
【符号の説明】
【００２１】
１  写真処理システム
２  入力手段
３  出力手段
４  制御部
Ｓ１〜Ｓ３  第１の手段
Ｓ４〜Ｓ６  第２の手段
【図１】
2006085214.tif 000003
【図２】
2006085214.tif 000004
【図３】
2006085214.tif 000005
【図４】
2006085214.tif 000006
【図５】
2006085214.tif 000007